(57)【要約】【課題】従来の真空断熱材では、芯材の内側に薄肉部としてＵ字形もしくはＶ字形のスリットを設けて周方向に丸め易くしているが、一般的に薄くて強度が弱い芯材にこのような加工を施すことは困難であり、仮に加工ができたとしても芯材の厚み自体が薄いために取り扱いが難しく作業性が悪いという問題点があった。【解決手段】この発明に係る真空断熱材は、繊維シートが複数枚積層されてなる芯材と、該芯材を真空密閉して覆う外被材とを備えた真空断熱材において、前記芯材の少なくとも１辺に沿って変形可能なスペーサーを設けるように構成したものである。【選択図】図１
2010190257.tif 000002
【特許請求の範囲】
【請求項１】
繊維シートが複数枚積層されてなる板状の芯材と、該芯材を真空密閉して覆う外被材とを備えた真空断熱材において、前記外皮材の対向する二面を離間し、当該二面のそれぞれに両主面を接触して配置された前記芯材の側面に沿って少なくとも一部に変形可能なスペーサーを設けたことを特徴とする真空断熱材。
【請求項２】
前記芯材は六面体からなることを特徴とする請求項１記載の真空断熱材。
【請求項３】
前記芯材を複数設けたことを特徴とする請求項２記載の真空断熱材。
【請求項４】
前記スペーサーを前記芯材間に設けたことを特徴とする請求項３記載の真空断熱材。
【請求項５】
繊維シートが複数枚積層されてなる板状の芯材と、該芯材を真空密閉して覆う外被材とを備えた真空断熱材において、前記外皮材の対向する二面を離間し、当該二面のそれぞれに両主面を接触して配置された前記芯材の少なくとも１つの主面上に変形可能なスペーサーを設けたことを特徴とする真空断熱材。
【請求項６】
前記スペーサーは大気圧以上の圧力により変形可能であることを特徴とする請求項１乃至請求項５のいずれか１つに記載の真空断熱材。
【請求項７】
前記スペーサーは一部に空洞を有することを特徴とする請求項１乃至請求項６のいずれか１つに記載の真空断熱材。
【請求項８】
前記外被材を袋状にする工程と、前記外被材で前記芯材及び前記スペーサーを被う工程とを有することを特徴とする請求項１乃至請求項７のいずれか１つに記載の真空断熱材の製造方法。
【発明の詳細な説明】
【技術分野】
【０００１】
この発明は、真空断熱材及びその製造方法に関するものである。
【背景技術】
【０００２】
従来の真空断熱材において、貯湯タンクを保温するために、円筒形状の当接面に複数個の薄肉部を設けて周方向に丸め易くし、真空断熱材が歪みやしわを生じることなく簡単に、かつ、廉価に製作できるように構成したものがある(例えば特許文献１参照）。
【先行技術文献】
【特許文献】
【０００３】
【特許文献１】特開２００８−３９２８２号公報（請求項２）
【発明の概要】
【発明が解決しようとする課題】
【０００４】
従来の真空断熱材では、芯材の内側に薄肉部としてＵ字形もしくはＶ字形のスリットを設けて周方向に丸め易くしているが、一般的に薄くて強度が弱い芯材にこのような加工を施すことは困難であり、仮に加工ができたとしても芯材の厚み自体が薄いために取り扱いが難しく作業性が悪いという問題があった。
【０００５】
また、金属ラミネートフィルムなどの外被材の中に芯材を挿入し、外被材の内部を真空にして密閉する場合、芯材の内側に設けた複数のスリットの窪み部分に外被材が入り込むため、真空断熱材の厚み方向における内側と外側の外被材の間隔が狭くなり、十分な断熱性能が得られないという問題があった。
【０００６】
なお、前記断熱性能の低下を補う手段として、真空断熱材の上方端部にパッキンを設け、薄肉部と貯湯タンクとの隙間に発生する空気の対流を防止しているが、形状が複雑になりコスト増になるとともに隙間を完全に無くすことができないという問題があった。
【０００７】
この発明は、かかる問題点を解決するためになされたものであり、断熱性能の低下がほぼ無く、容器の形状に合せて隙間無く取り付けが容易な真空断熱材及びその製造方法を提供することを目的としている。
【課題を解決するための手段】
【０００８】
この発明に係る真空断熱材は、繊維シートが複数枚積層されてなる板状の芯材と、該芯材を真空密閉して覆う外被材とを備えた真空断熱材において、前記外皮材の対向する二面を離間し、当該二面のそれぞれに両主面を接触して配置された前記芯材の側面に沿って少なくとも一部に変形可能なスペーサーを設けるように構成したものである。
【発明の効果】
【０００９】
この発明は、以上のように構成したので、真空断熱材を保温容器に断熱性能の低下がほぼ無く容易に取付けることができる。
【図面の簡単な説明】
【００１０】
【図１】この発明の実施の形態１による真空断熱材の密閉前の状態を示した断面図である。
【図２】この発明の実施の形態１による真空断熱材の密閉後の状態を示した断面図である。
【図３】この発明の実施の形態１における真空断熱材が円筒状容器に巻き付けて取り付いた状態を示す断面図である。
【図４】この発明の実施の形態２による真空断熱材の密閉後の状態を示した断面図である。
【図５】この発明の実施の形態３による真空断熱材の密閉後の状態を示した断面図である。
【図６】この発明の実施の形態１における真空断熱材の製造方法について示したフローチャートである。
【図７】スペーサーを治具の所定の位置に固定する状態を示した参考図である。
【図８】芯材を複数枚平面状に配置した状態を示した参考図である。
【図９】袋状とした外被材を被せた状態を示した参考図である。
【発明を実施するための形態】
【００１１】
実施の形態１．
図１は、この発明の実施の形態１による真空断熱材の密閉前の状態を示した断面図である。図において、この発明の実施の形態１による真空断熱材は、１枚もしくは積層された複数の繊維シートからなる六面体構造を持つ板状の芯材１と、平面状に配置された複数の芯材１間に設けられた中空構造を持つスペーサー２と、芯材１及びスペーサー２を対向する二面を離間し、当該二面のそれぞれに芯材１の両主面である上面及び下面を接触して挟み密閉し、真空断熱材内部を真空に保つと共に表面を形成する外被材３とが設けられている。ここでの上面及び下面は、板状の芯材１の最大面積を有する対向する２面を指し、一方を上面と規定した場合、他方を下面と規定する。
【００１２】
次に、この発明の実施の形態１における真空断熱材の製造方法について説明する。図６は、この発明の実施の形態１における真空断熱材の製造方法について示したフローチャートである。図６の芯材製造工程において、例えば水と繊維径が数μｍ〜数十μｍ程度の繊維を混合させ抄紙した後、乾燥させてシート化した繊維シートを１枚もしくは複数枚重ねて必要なサイズに裁断し芯材１を製造する。
【００１３】
ここで、繊維には、例えばガラス素材や樹脂系素材などがある。樹脂系素材の場合は、ポリエチレン、ポリプロピレン、ポリスチレン、ポリエチレンテレフタレートを含めたポリエステルなどがある。勿論、無機素材からなる無機繊維と樹脂系素材からなる樹脂系繊維の混合でもよい。
【００１４】
図６のスペーサー挿入工程において、適当な長さに切断されたスペーサー２が治具の所定の位置に固定され、スペーサー２を挟むように芯材１を複数枚平面状に配置する。図７は、スペーサーを治具の所定の位置に固定する状態を示した参考図である。また、図８は、芯材を複数枚平面状に配置した状態を示した参考図である。スペーサー２は、紙またはプラスチックなどの熱伝導率の低い材質で、半円形状のトップ部分とコの字形状のボトム部分を有する弾丸形状の断面を有し、中空構造を有する。なお、スペーサー２は真空断熱材の中で大気圧によって潰れない程度の強度を有している。
【００１５】
上記芯材１とスペーサー２とを組み合わせた状態で、２枚または１枚を折り返した外被材３を１つの開口部を有するように、例えばヒートシールなどでシールし、袋状とした外被材３を被せる。図９は、袋状とした外被材を被せた状態を示した参考図である。例えば、外被材３はガスバリア性を有する金属ラミネートフィルムなどを矩形とすることで得られる。
【００１６】
その後、治具を取り外し、これらを真空チャンバ内に配置し減圧することで外被材３に覆われた内部空間を真空状態にする。外被材３で覆われた空間が所定の圧力、例えば０．１〜３Ｐａ程度の真空圧になっている状態で外被材３の開口部をシールし密閉する。真空チャンバ内の圧力を大気圧状態にまで戻す。真空断熱材の外側の面は大気圧を受け、外被材３の内圧が真空であることにより真空断熱材の内外で圧力差が生じ、外被材３が押されて芯材１が圧縮される。真空断熱材の内部に配置したスペーサー２は、大気圧によって潰れない程度の強度を有していることで潰れずに形状を維持するため、スペーサー２に接する外被材３は大気圧で押されてスペーサー２に沿って変形するため、真空断熱材の表面にスペーサー２の半円形状に沿った凸部が形成される。
【００１７】
以上のようにして、この発明の実施の形態１における真空断熱材が完成する。図２は、上記のように製造されたこの発明の実施の形態１による真空断熱材の密閉後の状態を示した断面図である。この真空断熱材の内部空間は真空状態に保持され、外被材３および芯材１は外部との圧力差による圧縮力を受けている。
【００１８】
なお、長期真空下に置くことにより、芯材１または外被材３等からガスが発生する場合とか、外部から気体が混入する場合とか、水分が混入する場合などが想定される場合には、必要に応じて外被材３で覆われた空間に適切なガス吸着剤を挿入する場合もある。
【００１９】
次に、この発明の実施の形態１における真空断熱材を円筒状容器４に巻き付けて取り付ける場合について説明する。図３は、この発明の実施の形態１における真空断熱材が円筒状容器に巻き付けて取り付いた状態を示す断面図である。通常、真空断熱材は平板状で外部から大気圧を受け、外被材３が芯材１と密着し硬直しているため、円筒状容器４に巻き付けて取り付けようとしても変形せず、曲がらない。
【００２０】
そこで、図に示すように、真空断熱材を円筒状容器４に沿わせて巻きつけるときに、真空断熱材の外側の表面に突出しているスペーサー２の半円形状のトップ部分を押さえることによって、スペーサー２の内部の中空部分が圧縮されて潰れ、外被材３に沿う形で支えている半円形状部分が平坦になることで、外側の外被材３を押し広げる。そのため、厚みを有する真空断熱材を曲げることに伴う外被材３の外側と内側の長さ差である内外周差を補うことができるため、真空断熱材の内側に皺を生じさせることなく変形可能となり、真空断熱材を円筒状容器４に隙間無く巻きつけることができる。
【００２１】
このような構成されたこの発明の実施の形態１における真空断熱材は、外被材３の片面のみに突出部が設けられているため、円筒状容器４を加工する必要が無い。また、スペーサー２が中空構造を有することによって、スペーサー２を介しての熱移動が起こりにくくなる。さらに、真空断熱材と円筒状容器４の間で空気の対流が生じず、良好な断熱性能が得られる。
【００２２】
例えば、外形φ１０００（ｍｍ）の円筒状容器４の外周に沿って約半周に真空断熱材を巻き付ける場合には、厚みが１０（ｍｍ）の真空断熱材に生じる内外周差は、
真空断熱材の内側の円周長＝容器の半円周＝π×１０００×１/２＝５００π（ｍｍ）
真空断熱材の外側の円周長＝π×(１０００+１０)×１/２＝５０５π（ｍｍ）
真空断熱材の内外周差＝５０５π−５００π＝５π＝１５．７≒１６（ｍｍ）
円筒状容器４の軸方向と平行して真空断熱材の中に２個のスペーサー２を入れた場合、スペーサー１個で補足する外側の外被材３の長さは１６／２＝８（ｍｍ）となる。
【００２３】
スペーサー２が潰れて、外側の外被材３の長さを８（ｍｍ）伸ばすために必要とするスペーサー２の形状は、真空断熱材から突出するスペーサー２の半円形状のトップ部分の半径をＲとすると、
πＲ−２Ｒ＝８（ｍｍ）
Ｒ＝８／(π−２)＝７（ｍｍ）
半径Ｒの２倍が潰れる前のスペーサー２の幅となるため、潰れる前のスペーサー２の幅は１４（ｍｍ）が必要となる。なお、この数値は理想的な場合の数値であり、条件により異なることはいうまでもない。
【００２４】
次に、この例で、スペーサー２として紙を用いた場合について、断熱性能の低下を検証する。紙の熱伝導率λは、０．０６Ｗ／ｍ・ｋ程度であり、仮にスペーサー２を厚み１ｍｍ、幅１４ｍｍの中空構造とした場合、熱伝導率λは、０．０６×（（１×２）／１４）＝０．００８６Ｗ／ｍ・ｋ程度となる。一方、芯材１の熱伝導率λは、０．０２Ｗ／ｍ・ｋ程度である。
【００２５】
ここで、実際にスペーサー２の占める部分は上記真空断熱材全体の２％程度であるため、上記真空断熱材全体の熱伝導率λは、０．０２×０．９８＋０．００８６×０．０２＝０．００２１３Ｗ／ｍ・ｋ程度となる。この数値から明らかなように、熱伝導率は０．０００１３Ｗ／ｍ・ｋ程度の増加しかなく、設置によるばらつきでの誤差程度の値であると思われる。
【００２６】
また、この発明の実施の形態１における真空断熱材では、複数の芯材１間にスペーサー２を配置しているが、１つの芯材１の端部、または、複数の芯材１間及び端部にスペーサー２を配置してもよい。なお、芯材１の枚数の多少にかかわらず、スペーサー２を配置することにより所定の効果が得られる。ここで、芯材１の端部とは、芯材１の側面で他の芯材１と対面していない部分を示す。
【００２７】
実施の形態２．
図４は、この発明の実施の形態２による真空断熱材の密閉後の状態を示した断面図である。前記実施の形態１では、スペーサー２が中空構造を有しているが完全に中空でなくてもよい。例えば、図に示すように、コ字状のガイド５の上に円柱６を配置した構造としてもよい。このような構造のスペーサーは加工が簡単で、真空断熱材を円筒状容器４に沿わせて曲げるときに円柱６を押すことによって、円柱６がコ字状のガイド５の中に入り込み、コ字状のガイド５を左右に押し広げることによって、真空断熱材表面の突出部が平坦となり、外側の外被材３に長さの余裕ができることで、同様の効果が得られる。
【００２８】
なお、コ字状のガイド５と円柱６は一体構造であっても分離された構造であってもよい。また、ここではコ字状のガイド５の上に円柱６を配置した構造とし、一部に中空部分を有する構造を持ったスペーサーを得ているが、例えば、前記実施の形態１で示された半円形状のトップ部分とコの字形状のボトム部分を有する弾丸形状の断面を有し、中空構造を持つスペーサー２の半円形状のトップ部分を中身が詰まった構造とすることでも同様な効果が得られる。
【００２９】
さらに、全く中空部分を持たず、所定の力を加えることで変形するような部材でスペーサーを構成した場合でも同様な効果が得られる。このような部材は、例えば、ゴム、ウレタン等の合成樹脂または紙等が考えられる。
【００３０】
なお、前記実施の形態に示す芯材１は、円筒状容器４に沿わせて巻きつけることを前提に六面体構造を持つ板状としているが、特に六面体構造とする必要はない。例えば、芯材１を六角形の面を有する八面体容器に沿わせる場合には、八面体構造を持つ板状の芯材１を含む方がよい場合もある。同様に、芯材１の構造は断熱する容器に合わせて変形しやすいような構造をとればよく、特に六面体に限られない。場合によっては、芯材１が円柱構造である方が変形しやすい場合もありうることは容易に推測できる。
【００３１】
また、仮に前記実施の形態に示すスペーサー２が、芯材１の最外周の側面、芯材１が複数である場合は複数の芯材１が組み合わされた端部、すなわち、複数の芯材１が組み合わされた状態で最外周を形成する側面に沿って配置された場合であっても、外被材３の端部で対向する二面が接触する部分を保温容器に沿って曲げることが容易になり、真空断熱材を断熱性能の低下がほぼ無く容易に取付ける効果が得られる。
【００３２】
実施の形態３．
図５は、この発明の実施の形態３による真空断熱材の密閉後の状態を示した断面図である。前記実施の形態１では、複数の芯材１間にスペーサー２を配置しているが、図に示すように芯材１上、すなわち芯材１と外被材３との間に円筒形状を有する円筒スペーサー７を配置してもよい。
【００３３】
このような構造をとることで、真空断熱材を円筒状容器４に沿わせて巻きつけるときに、真空断熱材の外側の表面に突出している円筒スペーサー７の半円形状部分を押さえることによって、円筒スペーサー７の内部の中空部分が圧縮されて潰れるとともに、芯材１をある程度押しつぶすことで、外被材３に沿う形で支えている半円形状部分が平坦になり、外側の外被材３を押し広げる。そのため、厚みを有する真空断熱材を曲げることに伴う外被材３の外側と内側の長さ差である内外周差を補うことができるため、真空断熱材の内側に皺を生じさせることなく変形可能となり、真空断熱材を円筒状容器４に隙間無く巻きつけることができる。
【００３４】
また、このような構成されたこの発明の実施の形態３における真空断熱材は、前記実施の形態に示された効果に加え、複数の芯材１を用いる必要がなく、また、仮に複数の芯材１を用いた場合でも芯材１間に円筒スペーサー７を配置する必要が無いため、製造工程が非常に単純化されるのみならず、容易に製造することができるという効果を有する。
【符号の説明】
【００３５】
１  芯材、２  スペーサー、３  外被材、４  円筒状容器、５  ガイド、６  円柱、７  円筒スペーサー
【図１】
2010190257.tif 000003
【図２】
2010190257.tif 000004
【図３】
2010190257.tif 000005
【図４】
2010190257.tif 000006
【図５】
2010190257.tif 000007
【図６】
2010190257.tif 000008
【図７】
2010190257.tif 000009
【図８】
2010190257.tif 000010
【図９】
2010190257.tif 000011